(57)【特許請求の範囲】
【請求項１】
縁部に両桟木を取着した両木質板型枠と端太材で補強して平壁に敷設するためのコンクリート型枠平壁用組立工法において、セパレーター金具に連結した継手金具の左右に前記桟木同士を突き合わして両型枠を一列に配置する工程と、前記両桟木をスライド金具または受け金具で挟持する工程と、前記継手金具を楔金具で締結する工程と、前記桟木の補強と前記型枠の面一化のための端太材を敷設し当て金具を当接してフレーム金具または継手金具の後端を楔金具で緊締する工程とからなり、コンクリート型枠着脱自在に組立てうるようにしたことを特徴とするコンクリート型枠平壁用組立工法。
【請求項２】
縁部に桟木を取着した両木質板型枠と端太材で補強して平壁に敷設するためのコンクリート型枠平壁用組立金具において、該組立金具がセパレーター金具と継手金具とフレーム金具と当て金具と楔金具とからなり、前記フレーム金具は前方が開放された両側面と後方がコ字形状で内周と両側面の外周には折曲鍔を有し、該後方内周の折曲鍔にはセパレーター金具に連結した継手金具を挿通させるための継手孔を穿設し、前記フレーム金具の後面を延出して最後方に把手を設けてフレーム楔金具挿入の楔孔を穿設し、前記フレーム金具の外周折曲鍔の後方には継手金具を緊締する継手楔金具挿入の楔孔を穿設し、前記折曲鍔の前方には前記桟木を挟持するスライド金具を覆装させてスライド楔金具挿入の楔孔を穿設し、後方に前記桟木の補強と型枠の面一化のための端太材に当て金具を当接させて楔金具で緊締し着脱自在に組立てうるようにしたことを特徴とするコンクリート型枠平壁用組立金具。
【請求項３】
縁部に桟木を取着した両木質板型枠と端太材で補強して平壁に敷設するためのコンクリート型枠平壁用組立金具において、該組立金具がセパレーター金具と継手金具とフレーム金具と当て金具と楔金具とからなり、該フレーム金具は前方が開放された両側面と後方がコ字形状で前方を除く内周と外周には折曲鍔を有し、該後方内周と外周の折曲鍔には前記セパレーター金具に連結した継手金具を挿通させるための継手孔を穿設し、側面の折曲鍔の前方には桟木を挟持するスライド金具を覆装させ、該スライド金具と前記両折曲鍔の後方と継手金具後端の連結部には楔金具挿入の楔孔を穿設し、後方に桟木の補強と型枠の面一化のための端太材に当て金具を当接させて楔金具で緊締し、前記組立金具を着脱自在に組立てうるようにしたことを特徴とするコンクリート型枠平壁用組立金具。
【請求項４】
縁部に桟木を取着した両木質板型枠と端太材で補強して平壁に敷設するためのコンクリート型枠平壁用組立金具において、該組立金具がセパレーター金具と継手金具と受け金具と当て金具と楔金具とからなり、前記受け金具は後面鍔と両側面鍔とからなるコ字形状の弾性バネ鋼で構成され、前記後面鍔にはセパレーター金具に連結した継手金具を挿通させるための継手孔を穿設し、前記継手金具後端の連結部には前記楔金具挿入の楔孔を穿設し、弾性を有する両側面鍔で前記桟木を挟持させ、外桟木の補強と型枠の面一化のための端太材に前記当て金具を当接させて楔金具で緊締し、前記組立金具を着脱自在に組立てうるようにしたことを特徴とするコンクリート型枠平壁用組立金具。
【請求項５】
前記スライド金具を一方の折曲鍔のみに覆装し、該スライド金具と他方の折曲鍔で桟木を挟持させ、一方の前記スライド金具の楔金具のみで締結する請求項２又は請求項３に記載のコンクリート型枠平壁用組立金具。
【請求項６】
前記継手金具が、先端に螺合部を、中央に挟合部を、後端に連結部を設けたものからなり、前記螺合部にフランジを付設した請求項２ないし請求項４のいずれかに記載のコンクリート型枠平壁用組立金具。
【請求項７】
前記継手金具の螺合部が、雌螺子または雄螺子を螺設した請求項６記載のコンクリート型枠平壁用組立金具。
【請求項８】
前記継手金具の挟合部が、楕円形、長方形の平板、または丸棒に形成した請求項６記載のコンクリート型枠平壁用組立金具。
【請求項９】
前記継手金具の螺合部・フランジ・丸棒が、一体または着脱自在に螺合した請求項６または請求項８記載のコンクリート型枠平壁用組立金具。
【請求項１０】
前記継手金具の平板が、その表面に型枠へ係止させる爪を付設した請求項８記載のコンクリート型枠平壁用組立金具。
【請求項１１】
前記継手金具の連結部に、楔孔を穿設してなり、該楔孔が横孔一個または横孔二個または縦孔と横孔の二個を穿設した請求項６記載のコンクリート型枠平壁用組立金具。
【請求項１２】
前記継手金具の丸棒が、木質板型枠丸セパ工法に用いる金具と互換性を有するようにした請求項８記載のコンクリート型枠平壁用組立金具。
【請求項１３】
前記セパレーターが、鉄枠工法に利用しうる帯状薄板からなり、該セパレーターは両端に雌ネジを付設して継手金具に嵌合しうるようにした請求項２ないし請求項４のいずれかに記載のコンクリート型枠平壁用金具。
【請求項１４】
前記セパレーターと継手金具が一体の連結金具からなり、コンクリート打設後に食み出し部を折り曲げて切断する鉄枠工法に利用しうる帯状薄板からなり、前記連結金具は両端を延長して楔孔を穿設し前記楔金具で緊締しうるようにした請求項２ないし請求項４のいずれかに記載のコンクリート型枠平壁用金具。
【発明の詳細な説明】
【０００１】
【発明の属する技術分野】
本発明は、合板などの木質板の縁部に桟木を設けて組立てるコンクリート型枠平壁用組立工法とその組立金具に関するものである。
【０００２】
【従来の技術】
従来、主として建物のコンクリート打設の際には、図１７に示すようなコンクリート型枠を用いた組立工法が利用されている。これは木質板の縁部に桟木を設けてコンクリート型枠を組立てる丸セパ工法で、隣接する型枠Ｗの縁部桟木同士を釘で打ち付け、型枠Ｗの木質板に穴Ｈを貫通させ、貫通穴ＨにセパレーターボルトＶを通し、内側にコーンキャップＫを、外側には長さ１６ｃｍ程度の締結金具Ｔを捻じこんで締め付けている。そのため、型枠に穴を開ける必要があり、位置ずれがしやすので熟練を要し、型枠の取り付けや解体が手間で、また型枠材の繰り返し利用を図ることができないために、廃棄物処理費用の増大も欠点となっている。
【０００３】
また従来、主として土木関係には、図１８に示す如き組立金具を用いる工法が利用されている。これは、幅３０ｃｍ、長さ１５０〜３００ｃｍ、２ｍｍ厚み程度の丈夫な、縁に鍔部を有するトレー状のメタルフォームからなる鉄板枠Ｉ，Ｉ同士を突き合わして、鍔部の多数の穴Ｈ´の何れかにクリップ金具Ｃを通して連結し、その隙間に間隔を保つための幅３ｃｍ程度の帯状薄板金具Ｓを挟装し、コンクリート打設後に、帯状薄板金具Ｓを切断するという鉄枠工法である。なお帯状薄板金具Ｓとしては、切目を入れた丸棒を通すために、鉄板枠に新しく穴Ｈ″を開けて使用することもある。
【０００４】
そこで本発明の出願人の一人は、先に特願２０００−１８４０５６の特許出願した。この発明は、木質板型枠の縁部桟木を釘で打ち付けたり、型枠の木質板に穴を貫通させることのない、迅速に組立てうるコンクリート型枠用組立金具である。しかし図１９に示すように、先端には、やはりコーンキャップＫ′を取り付け、型枠コーナー部は、平金具のフレームＦの隙間に挿入した帯状プレート金具Ｓ′を連結棒Ｃ′で締め付ける必要があり、挟み板Ｂにさらに押さえ板Ｐを覆装させなければならず、部品が多くて取り付け工法も簡単ではない。
【０００５】
そのため本出願人等は、特願平２００１−２５１８５７において、コンクリート型枠用の隅壁組立工法とその組立金具に関する特許出願をしている。この発明は、その姉妹品となるコンクリート型枠の平壁用組立の平セパ工法とその金具を主体にしたものである。
【０００６】
【発明が解決しようとする課題】
上記の事情に鑑み、本発明は、木質板型枠の縁部桟木を釘で打付けることなく、型枠の木質板に穴を貫通させることなく、またコーナーを両面から締め付ける必
要のない、また部品の少ない迅速・簡単に組立てられ、穴処理の手間を減少さしたコンクリート型枠の平壁用組立工法とその組立金具を提供するものである。
【０００７】
【課題を解決するための手段】
本発明は、上記課題を達成するために、縁部に両桟木を取着した両木質板型枠と端太材で補強して平壁に敷設するためのコンクリート型枠平壁用組立工法において、セパレーター金具に連結した継手金具の左右に前記桟木同士を突き合わして両型枠を一列に配置する工程と、前記両桟木をスライド金具または受け金具で挟持する工程と、前記継手金具を楔金具で締結する工程と、前記桟木の補強と前記型枠の面一化のための端太材を敷設し当て金具を当接してフレーム金具または継手金具の後端を楔金具で緊締する工程とからなり、コンクリート型枠着脱自在に組立てうるようにしたコンクリート型枠平壁用組立工法を構成するものである。
【０００８】
また本発明は、上記課題を達成するために、縁部に桟木を取着した両木質板型枠と端太材で補強して平壁に敷設するためのコンクリート型枠平壁用組立金具において、該組立金具がセパレーター金具と継手金具とフレーム金具と当て金具と楔金具とからなり、前記フレーム金具は前方が開放された両側面と後方がコ字形状で内周と両側面の外周には折曲鍔を有し、該後方内周の折曲鍔にはセパレーター金具に連結した継手金具を挿通させるための継手孔を穿設し、前記フレーム金具の後面を延出して最後方に把手を設けてフレーム楔金具挿入の楔孔を穿設し、前記フレーム金具の外周折曲鍔の後方には継手金具を緊締する継手楔金具挿入の楔孔を穿設し、前記折曲鍔の前方には前記桟木を挟持するスライド金具を覆装させてスライド楔金具挿入の楔孔を穿設し、後方に前記桟木の補強と型枠の面一化のための端太材に当て金具を当接させて楔金具で緊締し着脱自在に組立てうるようにしたコンクリート型枠平壁用組立金具を構成するものである。
【０００９】
さらに本発明は上記課題を達成するために、縁部に桟木を取着した両木質板型枠と端太材で補強して平壁に敷設するためのコンクリート型枠平壁用組立金具において、該組立金具がセパレーター金具と継手金具とフレーム金具と当て金具と楔金具とからなり、該フレーム金具は前方が開放された両側面と後方がコ字形状で前方を除く内周と外周には折曲鍔を有し、該後方内周と外周の折曲鍔には前記セパレーター金具に連結した継手金具を挿通させるための継手孔を穿設し、側面の折曲鍔の前方には桟木を挟持するスライド金具を覆装させ、該スライド金具と前記両折曲鍔の後方と継手金具後端の連結部には楔金具挿入の楔孔を穿設し、後方に桟木の補強と型枠の面一化のための端太材に当て金具を当接させて楔金具で緊締し、前記組立金具を着脱自在に組立てうるようにしたコンクリート型枠平壁用組立金具を構成するものである。
【００１０】
さらにまた、本発明は上記課題を達成するために、縁部に桟木を取着した両木質板型枠と端太材で補強して平壁に敷設するためのコンクリート型枠平壁用組立金具において、該組立金具がセパレーター金具と継手金具と受け金具と当て金具と楔金具とからなり、前記受け金具は後面鍔と両側面鍔とからなるコ字形状の弾性バネ鋼で構成され、前記後面鍔にはセパレーター金具に連結した継手金具を挿通させるための継手孔を穿設し、前記継手金具後端の連結部には前記楔金具挿入の楔孔を穿設し、弾性を有する両側面鍔で前記桟木を挟持させ、外桟木の補強と型枠の面一化のための端太材に前記当て金具を当接させて楔金具で緊締し、前記組立金具を着脱自在に組立てうるようにしたコンクリート型枠平壁用組立金具を構成するものである。
【００１１】
【発明の実施の形態】
次に本発明のコンクリート型枠平壁用の組立金具とその継手金具を、以下図面に基づいて詳述する。
【００１２】
図１は、本発明のコンクリート型枠用平壁組立金具の請求項２の一実施例を示す斜視図、図２は、同コンクリート型枠用平壁組立工法で組立てた実施例を示す平面図である。図３は、本発明のコンクリート型枠用平壁組立金具の請求項３の一実施例を示す斜視図、図４は、同コンクリート型枠用平壁組立工法で組立てた実施例を示す平面図である。図５は、本発明のコンクリート型枠用平壁組立金具の請求項３の別の実施例を示す斜視図、図６は同コンクリート型枠用平壁組立工法で組立てた別の実施例を示す平面図である。図７は、コンクリート型枠用平壁組立金具に使用されるフレーム金具の請求項４の一実施例を示す斜視図、図８は、同コンクリート型枠用平壁組立工法で組立てた実施例を示す平面図である。図９は、図１のコンクリート型枠用平壁組立金具に使用されるフレーム金具の一実施例を示す分解斜視図、図１０は、図１のコンクリート型枠用平壁組立金具に使用されるスライド金具の一実施例を示す分解斜視図である。図１１は、本コンクリート型枠用平壁組立金具に使用される継手金具の斜視図で、（イ）は図１のコンクリート型枠用平壁組立金具に使用される継手金具、（ロ）は先端の螺合部が雄螺子であり後端締結部の楔孔が縦孔と横孔の二個を穿設した継手金具、（ハ）は後端締結部の楔孔が横孔二個を穿設した継手金具である。図１２は、丸棒の継手金具の斜視図で、（イ）はフランジが一体の継手金具、（ロ）は雌螺子もフランジも雄螺子も全て着脱自在に螺合した継手金具、（ハ）は雄螺子が着脱自在に螺合した継手金具、（ニ）は雄螺子が着脱自在に螺合した大型の継手金具である。図１３は、コ−ンキャップの斜視図で、（イ）は通常サイズのもの、（ロ）は細長のもの、（ハ）は長いもの、（ニ）は長い大型のものコーンキャップである。図１４は、セパレーター金具の別の実施例を示す斜視図である。図１５はセパレーター金具と継手金具が一体のものからなる、一実施例を示す斜視図である。図１６は、当て金具の斜視図で、（イ）は図１のコンクリート型枠用平壁組立金具に使用される当て金具、（ロ）は別の例を示す当て金具、（ハ）はまた別の例を示す当て金具、（ニ）はさらに別の例を示す当て金具である。
【００１３】
先ず図１と図２により、本発明のコンクリート型枠用の平壁組立金具を説明する。本発明のコンクリート型枠用の平壁組立金具１は、木質板型枠２ａ，２ｂを突き合わせて一列に敷設するための平壁用のものである。木質板型枠２ａ，２ｂの縁部には、予め規定寸法の桟木３ａ，３ｂを取着しており、最後に桟木３ａ，３ｂの補強と、両型枠２ａ，２ｂの繋ぎ目が面一になるようにするための角パイプからなる端太材４を宛がうものである。
【００１４】
金具１は、セパレーター金具５と継手金具６とフレーム金具７と当て金具８と各楔金具９ａ，９ａ，９ｂ，９ｃからなっている。フレーム金具７は、図９に示すように、前方１０が開放された両側面１１，１１と、後方１２がコ字形状で内周１３と両側面１１，１１の外周１４には上向き折曲鍔１５，１５，１５を有して補強している。そして後方内周の折曲鍔１５ａには、セパレーター金具５に連結した継手金具６を通すための継手孔１６を穿設している。また最後方は、延出して把手１７を有する形状になっている。その把手１７には、フレーム楔金具９ｃを挿入するための楔孔１８ｃを穿設している。
【００１５】
外周１４の折曲鍔１５の後方には、図１１（イ）の継手金具６を緊締する継手楔金具９ｂを挿入するための楔孔１８ｂ，１８ｂを穿設している。継手金具用の継手楔金具９ｂは、長い棒状をなし細い先端の方から打ち込まれる。また両側面１１，１１には、並設する丸孔１９ａ，１９ａ，１９ａ，１９ａを穿設している。この丸孔１９ａ，１９ａ，１９ａ，１９ａは、図８のスライド金具２０を覆装して取り付ける際に使用するためのものである。即ち内周と外周の両折曲鍔１５，１５の前方には、スライド金具２０を覆装して桟木３ａ，３ｂを挟持させる。
【００１６】
スライド金具２０は図１０に示すような形状をなし、フレーム金具７の両側面１１，１１を、上下から挟装する二重に折り返えされたものからなり、この折返両片の両方には、図９の丸孔１９ａ，１９ａと１９ａ，１９ａに対応してスライドしうる並設した長孔１９ｂ，１９ｂ，１９ｂ，１９ｂと１９ｂ，１９ｂ，１９ｂ，１９ｂを穿設している。そして、両長孔１９ｂ，１９ｂと１９ｂ，１９ｂの中央折返端には、スライド楔金具９を挿入するための楔孔１８ａ，１８ａを穿設している。
【００１７】
図１に示すスライド金具２０ａ，２０ｂと、フレーム金具７の両側面１１，１１とは、本実施例の場合ボルトからなるスライド突起係合部２１，２１，２１，２１で一応締結している。これは、桟木３ａ，３ｂとは間隔を開かした状態にしているので、通常はスライド楔金具９ａ，９ａだけで締め付けうるようにしている。スライド楔金具９ａ，９ａ先端の穴には、セット後に抜け防止のＲピン９ａ′が係止される。ここで、スライド突起係合部というのは、スライド金具の長孔に係合しうる出臍状の突起を、フレームに付設することもできるからである。
【００１８】
最後の継手金具６は、図１１（イ）に示すように、先端２２に先がセパレーター金具５に螺合しうる雌螺子２３を内部に刻設し、円盤状のフランジ２４付きテ−パ−状筒体からなる螺合部２５設けている。また図１１（イ）に示すように、中央には、平板状の場合は楕円形状の挟合部２６を設けている。そして後端には、図９に示す継手楔金具９ｂを挿入するための楔孔１８ｂ′を一個穿設した連結部２７を一体に設けている。
【００１９】
そして平壁組立金具１の後方１２に、桟木３ａ，３ｂの補強と型枠２ａ，２ｂを面一に揃えるための端太材４を当て、これに当て金具８を当接させて、楔金具９ｃで緊締して、着脱自在に組立てうるようにしたものである。即ち、フレーム金具７の最後方を延出した把手１７で緊締するようにしたもので、以上が請求項２の発明に関する詳細である。
【００２０】
次に図３と図４に示す、本発明のコンクリート型枠用平壁組立金具の、別の実施例を説明する。本発明の場合のコンクリート型枠用平壁組立金具１０１は、木質板型枠１０２ａ，１０２ｂを突き合わして一列に敷設するための平壁用のものである。木質板型枠１０２ａ，１０２ｂの縁部には、予め規定寸法の桟木１０３ａ，１０３ｂを取着しており、最後に補強と型枠１０２ａ，１０２ｂを面一にするための角パイプからなる端太材１０４を設ける。本発明のコンクリート型枠用の組立金具１０１は、セパレーター金具１０５と継手金具１０６とフレーム金具１０７と当て金具１０８と各楔金具１０９ａ，１０９ａ，１０９ｂ，１０９ｃとからなっている。
【００２１】
フレーム金具１０７は、前方１１０が開放された両側面１１１，１１１と、後方１１２がコ字形状で前方を除く内周１１３と外周１１４には上向き折曲鍔１１５，１１５を有して補強している。そして後方内周の折曲鍔１１５ａと外周の折曲鍔１１５ｂには、セパレーター金具１０５に連結した継手金具１０６を通すための継手孔１１６ａ，１１６ｂを穿設している。継手金具１０６後端の連結板１２７には、継手楔金具１０９ｂを挿入のための横の楔孔１１８ｂと、端太材１０４を緊締するための縦の楔孔１１８ｃとを穿設している。
【００２２】
スライド金具１２０は、本実施例の場合ボルトからなるスライド突起係合部１２１，１２１，１２１，１２１で、フレーム金具１０７に一応締結している。通常は、スライド楔金具１０９ａ，１０９ａだけで締め付けうるようにしている。スライド楔金具１０９ａ，１０９ａ先端の穴には、セット後に抜け防止のＲピン９ａ′が係止される。ここで、スライド突起係合部というのは、スライド金具１２０の長孔１１９ａに係合しうる出臍状の突起を、フレーム金具１０７に付設することもできるからである。
【００２３】
そしてフレーム金具１０７の内周１１３と外周１１４の両折曲鍔１１５ａ，１５ｂの前方には、スライド金具１２０を覆装して桟木１０３ａ，１０３ｂを挟持させる。スライド金具１２０の中央の折返端には、スライド楔金具１０９ａ，１０９ａを挿入するための楔孔１１８ａ，１１８ａを穿設し、スライド楔金具１０９ａ，１０９ａで締め付けうるようにしている。スライド楔金具１０９ａ，１０９ａ先端の穴には、セット後に抜け防止のＲピン１０９ａ′，１０９ａ′が係止される。そして後方１１２に、桟木１０３ａ，１０３ｂの補強と型枠１０２ａ，１０２ｂを面一にするための端太材１０４を当て、これに当て金具１０８を当接させて、楔金具１０９ｃで緊締し、着脱自在に組立てうるようにしたものである。即ち、図１１（ロ）継手金具１０６後端の連結部１２７で緊締するようにしたもので、以上が請求項３に関する発明の詳細である。
【００２４】
次の図５と図６は、図３と図４に示す実施例を、片方のスライド金具のみで締結しうるようにした本発明の主体となる、コンクリート型枠用平壁組立金具の他の実施例である。本発明の場合のコンクリート型枠用平壁組立金具１１０１は、木質板型枠１１０２ａ，１１０２ｂを突き合わして一列に敷設するための平壁用のものである。木質板型枠１１０２ａ，１１０２ｂの縁部には、予め規定寸法の桟木１１０３ａ，１１０３ｂを取着している。また１１０４は、最後に補強と型枠１１０２ａ，１１０２ｂを面一にするための角パイプからなる端太材１１４を設けている。本発明のコンクリート型枠用の組立金具１１０１は、セパレーター金具１１０５と継手金具１１０６とフレーム金具１１０７と当て金具１１０８と各楔金具１１０９ａ，１１０９ｂ，１１０９ｃとからなっている。
【００２５】
フレーム金具１１０７は、前方１１１０が開放された両側面１１１１，１１１１と、後方１１１２がコ字形状に形成し、前方１１１０を除く内周１１１３と外周１１１４には、下向き折曲鍔１１１５，１１１５を有して補強している。そして後方１１１２内周１１１３の折曲鍔１１１５ａと外周の折曲鍔１１１５ｂには、セパレーター金具１１０５に連結した継手金具１１０６を通すための継手孔１１１６ａ，１１１６ｂを穿設している。継手金具１１０６後端の連結部１１２７には、継手楔金具１１０９ｂを挿入のための横の楔孔１１１８ｂと、端太材１１０４を緊締するための縦の楔孔１１１８ｃとを穿設している。そして、継手金具１１０６は、フレーム金具１１０７に継手楔金具１１０９ｂで締結される。
【００２６】
スライド金具１１２０は、一方の側面１１１１ａのみに覆装し、他方の側面１１１１ｂには、スライド金具を覆装せず、前実施例より簡単な取り付けにしている。フレーム金具１１０７には、臍状突起からなるスライド突起係合部１１２１，１１２１を付設しており、スライド金具１１２０の長孔１１１９ａ，１１１９ａにスライド自在に係合している。従って一方から、スライド楔金具１１０９ａを打ち込むだけで、簡単に締結しうるものである。
【００２７】
従って、一方の桟木１１０３ａはスライド金具１１２０で挟持し、他方の桟木１１０３ｂは、フレーム金具１１０７の内周１１１３の折曲鍔１１１５ａで挟持するようにしている。スライド金具１１２０の中央の折返端には、スライド楔金具１１０９ａを挿入するための楔孔１１１８ａを穿設し、一方のスライド楔金具１１０９ａのみで締め付けうるようにしている。そして後方１１１２に、桟木１１０３ａ，１１０３ｂの補強と型枠１１０２ａ，１１０２ｂを面一にするための端太材１１０４を当て、これに当て金具１１０８を当接させて、楔金具１１０９ｃで緊締し、着脱自在に組立てうるようにしたものである。即ち、継手金具１１０６後端の連結部１１２７で緊締するようにしたもので、以上が請求項３の発明の別の実施例に関する詳細である。
【００２８】
また図７と図８に示す、本発明のコンクリート型枠用平壁組立金具の、さらにまた別の実施例を説明する。本発明の場合のコンクリート型枠用平壁組立金具２０１は、木質板型枠２０２ａ，２０２ｂを突き合わして一列に敷設するための平壁用のものである。木質板型枠２０２ａ，２０２ｂの縁部には、予め規定寸法の桟木２０３ａ，２０３ｂを取着しており、最後に補強と型枠２０２ａ，２０２ｂを面一に揃えるための角パイプからなる端太材２０４を設ける。コンクリート型枠用組立金具２０１は、セパレーター金具２０５と継手金具２０６と受け金具２２８と、当て金具２０８と各楔金具２０９ｂ，２０９ｃからなっている。
【００２９】
受け金具２２８は後面鍔２２９ａと両側面鍔２２９ｂ，２２９ｂとからなるコ字形状の弾性バネ鋼で構成され、後面鍔２２９ａにはセパレーター金具２０５に連結した継手金具２０６を挿通させるための継手孔２１６を穿設している。また継手金具２０６の後端の連結部２２７には、継手楔金具２０９ｂを挿入のための横の楔孔２１８ｂと、端太材２０４を緊締するための縦の楔孔２１８ｃとを穿設している。継手楔金具２０９ｂの先端の穴には、セット後抜け防止のＲピン２０９′が係止される。
【００３０】
そして両側面鍔２２９ｂ，２２９ｂは、弾性を有するバネ鋼で作られているので、桟木２０３ａ，２０３ｂを覆装すれば、これを挟持させることができる。この桟木２０３ａ，２０３ｂに補強と型枠２０２ａ，２０２ｂを面一に揃えるための端太材２０４を当て、これに当て金具２０８を当接させて、楔金具２０９ｃで緊締し、着脱自在に組立てうるようにしたものである。即ち、フレーム金具やスライド金具を必要とせず、継手金具２０６の後端の連結部２２７で簡単に緊締するようにしたもので、以上が請求項４の発明に関する詳細である。
【００３１】
次に、本発明のコンクリート型枠用の平壁組立工法を説明する。先ず最初の工程は、セパレーター金具５，１０５，１１０５，２０５に連結した継手金具６，１０６，１１０６，２０６，３０６の左右に６ｃｍ厚程度の桟木３ａ，３ｂ，１０３ａ，１０３ｂ，１１０３ａ，１１０３ｂ，２０３ａ，２０３ｂ同士を突き合わして、１２ｍｍ厚程度の両型枠２ａ，２ｂ，１０２ａ，１０２ｂ，１１０２ａ，１１０２ｂ，２０２ａ，２０２ｂを一列に配置する。
【００３２】
それから次の工程では、両桟木３ａ，３ｂ，１０３ａ，１０３ｂ，１１０３ａ，１１０３ｂ，２０３ａ，２０３ｂを、スライド金具２０，２０ａ，２０ｂ，１２０，１１２０、または受け金具２２８で挟持する。そして次の工程では、継手金具６，１０６，１１０６，２０６を、楔金具９ｂ，１０９ｂ，１１０９ｂ，２０９ｂで締結する。
【００３３】
次の工程では、桟木３ａ，３ｂ，１０３ａ，１０３ｂ，１１０３ａ，１１０３ｂ，２０３ａ，２０３ｂの補強と型枠２０２ａ，２０２ｂを面一に揃えるための端太材４，１０４，１１０４，２０４を敷設し、当て金具８，１０８，１１０８，２０８を当接する。そしてフレーム金具７または継手金具１０６，１１０６，２０６の後端を楔金具９ｃ，１０９ｃ，１１０９ｃ，２０９ｃを用いて緊締する。桟木３ａ，３ｂ，１０３ａ，１０３ｂ，１１０３ａ，１１０３ｂ，２０３ａ，２０３ｂは、外側から端太材４，１０４，１１０４，２０４で補強して圧迫してコンクリート打設時の強い力にも耐えさせ、また両型枠２ａ，２ｂ，１０２ａ，１０２ｂ，１１０２ａ，１１０２ｂ，２０２ａ，２０２ｂの繋ぎ目が面一になるように端太材４，１０４，１１０４，２０４を当てるもので、以上が請求項１の発明に関する詳細である。
【００３４】
本発明による各部品は、一実施例にとどまることなく多品種に跨がっている。図１１（イ），（ロ），（ハ）には、各種の継手金具６，１０６，３０６を示し、（イ）は図１のものを、（ロ）は図３と５と７のものを示している。（ロ），（ハ）は（イ）と同様に、先端に螺合部１２５，３２５を、中央に約１．８ｍｍの挟合部１２６，３２６を、後端に連結部１２７，３２７を一体に設けている。また螺合部１２５，３２５には、円盤状のフランジ１２４，３２４を取付けているもので、これが請求項５の発明である。
【００３５】
また（ハ）の継手金具３０６の螺合部３２５は、（イ）の継手金具６の螺合部２５と同様に、雌螺子３２３である。これに対し、（ロ）の継手金具１０６の螺合部１２５は雄螺子１３０になっているもので、これが請求項６の発明である。
【００３６】
そして継手金具６，１０６，３０６の連結部２７，１２７，３２７には、楔孔１８ｂ′，１１８ｂ，１１８ｃ，３１８ｂ，３１８ｃを穿設している。（イ）の楔孔１８ｂ′は横孔一個の例で、（ロ）は横孔の楔孔１１８ｂと縦孔の楔孔１１８ｃの二個の例で、（ハ）は横孔の楔孔３１８ｂと３１８ｃの横孔二個の例を示しているもので、これが請求項１１の発明である。
【００３７】
また、継手金具６，１０６，３０６の、平板状挟合部２６，１２６，３２６の表面には、型枠板２ａ，２ｂ，１０２ａ，１０２ｂ，２０２ａ，２０２ｂへ係止させる爪３１，１３１，３３１を付設している。これが請求項の発明１０の詳細である。
【００３８】
次の図１２に示す継手金具の挟合部は、木質板型枠丸セパ工法に用いる従来の金具である、図１７に示す締結金具Ｔと互換性を有するようにしたもので、請求項８の発明に関するものである。先の図１１における継手金具６，１０６，３０６の挟合部２６，１２６，３２６は、何れも楕円形の平板状からなっていたが、本実施例の場合には連結部が丸棒状４２６，５２６，６２６，７２６からなっており、この点は請求項７の発明の一部のものである。しかし、（ロ），（ハ），（ニ）の丸棒５２６，６２６，７２６は、中央部が扁平状５３２，６３２，７３２に形成されている。この扁平状部５３２，６３２，７３２は、締め付けと施工後の金具を着脱しやすくするためである。
【００３９】
そして図１２の（イ）は、継手金具の螺合部４２５とフランジ４２４と丸棒４２６が、一体になった例を示している。次の（ロ）は、継手金具の螺合部５２５とフランジ５２４と丸棒５２６が全てばらはらで、これを螺合して使用する例を示している。また（ハ）は、継手金具の螺合部６２５とフランジ６２４は一体であり、螺合部６２５の長さは本実施例の場合は２ｃｍ程度であるが、サイズは設計により変えられる。このサイズ変更は、国土交通省の通達指示に従う必要があるからである。即ち建築物の設計は、コンクリート骨材の海砂が塩害にてコンクリート内部の鉄筋部分を腐食させることを考慮し、コンクリートの被覆厚みに応じて、金具の十分なサイズを決定する必要があるからである。
【００４０】
これに丸棒６２６を螺合して、使用する例を示している。そして（ニ）は同じく継手金具の螺合部７２５とフランジ７２４は一体であるが、螺合部７２５は長さが４．５ｃｍ程度あり、これに丸棒７２６を螺合して使用する大型の例を示している。従って、図の右側の６ｍｍ径程度の丸棒４２６，５２６，６２６，７２６を型枠の穴に通し、図の左側の雌螺子のテ−パ−付き螺合部４２５，５２５，６２５，７２５側に、コンクリートの厚みを設定するセパレーターボルトをセットするものである。これが請求項８の発明の丸棒で請求項９の各態様を示したものである。
【００４１】
本発明では、従来のコーンキャップに変えて、小さな閉鎖栓ですむフランジ４２４，５２４，６２４，７２４を使用するようにしている。しかし、従来金具との互換性を利用してコーンキャップを使用する場合もあるので、多品種に跨がっている各種のコーンキャップについて、例をあげて説明する。図１３は、コーンキャップのプラスチック部分だけを示したもので、実際はこの中に金属製の螺合部を一体にするもので、小径の方には面一に雌螺子を、大径の方には雄螺子を突出させるものである。
【００４２】
図１３の（イ）のコーンキャップ４３３は、小径が２．３ｃｍ、大径が３ｃｍで長さが２．５ｃｍ程度の大きさで、中サイズ・短鍔の普通品の例である。（ロ）のコーンキャップ５３３は、小径が１．７ｃｍ、大径が２．３ｃｍで長さが５ｃｍ程度の大きさで、内径が六角形の小サイズ・中鍔の例である。（ハ）のコーンキャップ６３３は、小径が２．５ｃｍ、大径が３．５ｃｍ、長さが５ｃｍ程度の大きさで、大サイズ・中鍔の例である。（ニ）のコーンキャップ７３３は、小径が２．５ｃｍ、大径が３．８ｃｍで長さが８．５ｃｍ程度の大きさで、内径が多角形の大サイズ・長鍔の例を示したものである。
【００４３】
次の図１４に示すものは、本発明品が従来の鉄板を使用する鉄枠工法の部品を、木枠にも利用しうるようにしたものである。帯状薄板からなるセパレーター８０５は両端を折り返して、雌螺子８３４，８３４を内部に付設している。これは折り返して二重になった板の中心部を、膨らまして鍛造で螺子を立てたもので、外れ止めのスポット跡８３５を形成する。８３６の長さがコンクリートの打設厚みとなる。雌螺子８３４，８３４は、図３及び図１１（ロ）に示す継手金具１０６先端の雄螺子１３０に嵌合してセットし使用されるもので、請求項１３の発明に関するものである。
【００４４】
同じく図１５に示すものも、本発明品が従来の鉄枠工法にも利用しうるようにしたものである。帯状薄板からなるセパレーターと継手金具が一体になった連結金具９３７の中央帯状薄板部には、型枠へ係止させるための爪９３１，９３１を付設している。両端の連結部９２７，９２７は、コの字形断面に形成されており、その手前には図１８のクリップ金具を挿入するための貫通孔９３８，９３８が穿設されている。その内側に、切断用の切れ目線９３９，９３９を入れ、両端に楔孔９１８，９１８を穿設している。この楔孔９１８，９１８は、補強の端太材を緊締させるための楔を打ち込む孔である。コンクリートを打設後に、食み出し部９４２となる切れ目線９３９から先の部分は、折り曲げて切断するようにしたもので、請求項１４の発明に関するものである。なお、図１４と図１５の帯状薄板は、ステンレス製にしておけば、コンクリート内にあっても腐食する恐れはない。
【００４５】
図１６は、本発明に使用される各種の当て金具を示しており、（ロ），（ハ），（ニ）の当て金具は、従来から使用されているもので、これが本発明の工法にも適用しうることを示したものである。実際の当て金具は、１．５ｍｍ厚で、５ｃｍ幅程度の丈夫な金属製で、端太材を最終的に緊締するための楔を、鎖でぶら下げて一体にしたものからなっている。（イ）の当て金具８は、図１に使用されたものを示している。（ロ）の当て金具３０８は、上下の端太材に当接させるためのもので、３４０は従来の締結金具Ｔ等を挿入するための孔である。（ハ）の当て金具４０８は、端太材に当接させるとともに、下部を折り曲げて前面に延出し張出部４４１を設け、張出部４４１で桟木を当接させるようにしたもので、４４０は従来の締結金具Ｔ等を挿入するための孔である。（ニ）の当て金具５０８は、端太材に当接させるとともに、下部を折り曲げて前面に延出し張出部５４１を設け、張出部５４１で型枠を当接させるようにしたものであり、５４０は従来の締結金具Ｔ等を挿入するための孔である。
【００４６】
【発明の効果】
本発明のコンクリート型枠用平壁組立工法とその金具は、当接する木質板の縁部桟木同士を、平板状継手を挟んで両側からスライド金具で挟み付ける付ける平セパ用を主体にしたので、従来のように縁部桟木同士を釘で打ち付けたり、木質板や桟木に穴を穿設して傷つける必要がなくなった。
【００４７】
本発明のコンクリート型枠用平壁組立工法とその金具は、型枠を外側から着脱自在に締結するようにしたため、木質板や桟木を傷つけることなく、型枠は繰り返し利用を図ることができるようになったので、型枠の廃材処理費用は大幅に低減することができた。
【００４８】
本発明のコンクリート型枠用平壁組立金具は、フレーム金具の場合、プレ−ト状の一体ものからなるようにしたため、部品が従来のものより減少し、安価に提供することができ、型枠の組立・解体工法も工程が簡略化され、容易且つ迅速に行なえるようになった。
【００４９】
本発明のコンクリート型枠用平壁組立金具は、受け金具の場合、一層部品が減少して安価に提供することができ、型枠の組立・解体工法も特に簡略化しうるようになった。
【００５０】
本発明のコンクリート型枠用平壁組立工法は、単に叩いて締め付けたり外せるようにした、工事者に好まれる楔金具方式を主体にした。そのため、組立・解体を楽に行なうことができる。
【００５１】
本発明のフランジ方式は、従来のコーンキャップを取り付ける必要がなくなった。そのため、施工後の穴を閉じる手間が１／３になり、穴は大きさが小さく閉鎖跡は美しくなった。
【００５２】
本発明で使用される各種金具の一部を、従来の金具と互換性を有するようにしたので、従来の丸セパ工法や鉄枠工法にも使用しうるようになり、多目的の工事に広く適用しうるようになった。
【図面の簡単な説明】
【図１】本発明のコンクリート型枠用平壁組立金具の請求項２の一実施例を示す斜視図である。
【図２】同コンクリート型枠用平壁組立工法で組立てた実施例を示す平面図である。
【図３】本発明のコンクリート型枠用平壁組立金具の請求項３の一実施例を示す斜視図である。
【図４】同コンクリート型枠用平壁組立工法で組立てた実施例を示す平面図である。
【図５】本発明のコンクリート型枠用平壁組立金具の請求項３の別の実施例を示す斜視図である。
【図６】同コンクリート型枠用平壁組立工法で組立てた実施例を示す平面図である。
【図７】コンクリート型枠用平壁組立金具に使用されるフレーム金具の請求項４の一実施例を示す斜視図である。
【図８】同コンクリート型枠用平壁組立工法で組立てた実施例を示す平面図である。
【図９】図１のコンクリート型枠用平壁組立金具に使用されるフレーム金具の一実施例を示す分解斜視図である。
【図１０】図１のコンクリート型枠用平壁組立金具に使用されるスライド金具の一実施例を示す分解斜視図である。
【図１１】本コンクリート型枠用平壁組立金具に使用される継手金具の斜視図で、（イ）は図１のコンクリート型枠用平壁組立金具に使用される継手金具で、（ロ）は先端の螺合部が雄螺子であり後端締結部の楔孔が縦孔と横孔の二個を穿設した継手金具で、（ハ）は後端締結部の楔孔が横孔二個を穿設した継手金具である。
【図１２】丸棒の継手金具の斜視図で、（イ）はフランジが一体の継手金具、（ロ）は雌螺子もフランジも雄螺子も全て着脱自在に螺合した継手金具、（ハ）は雄螺子が着脱自在に螺合した継手金具、（ニ）は雄螺子が着脱自在に螺合した大型の継手金具である。
【図１３】コ−ンキャップの斜視図で、（イ）は通常サイズのもの、（ロ）は細長のもので、（ハ）は長いもの、（ニ）は長い大型のものコーンキャップである。
【図１４】セパレーター金具の別の実施例を示す斜視図である。
【図１５】セパレーター金具と継手金具が一体のものからなる、一実施例を示す斜視図である。
【図１６】当て金具の斜視図で、（イ）は図１のコンクリート型枠用平壁組立金具に使用される当て金具で、（ロ）は別の例を示す当て金具で、（ハ）はまた別の例を示す当て金具で、（ニ）はさらに別の例を示す当て金具である。
【図１７】従来のコンクリート型枠用平壁組立金具の一例を示す丸セパ工法の斜視図である。
【図１８】従来のコンクリート型枠用平壁組立金具の別な例を示す鉄枠工法の斜視図である。
【図１９】先に出願のコンクリート型枠用平壁組立金具の例を示す斜視図である。
【符号の説明】
１，１０１，１１０１，２０１                平壁組立用金具
２ａ，ｂ，１０２ａ，ｂ，１１０２ａ，ｂ，２０２ａ，ｂ  木質板型枠
３ａ，ｂ，１０３ａ，ｂ，１１０３ａ，ｂ，２０３ａ，ｂ  桟木
４，１０４，１１０４，２０４                端太材
５，１０５，１１０５，２０５，５０５        セパレーター金具
６，１０６，１１０６，２０６，３０６        継手金具
７，１０７，１１０７                        フレーム金具
８，１０８，１１０８，２０８，３０８，４０８，５０８  当て金具
９ａ，ｂ，ｃ，１０９ａ，ｂ，ｃ，１１０９ａ，ｂ，ｃ，２０９ｂ，ｃ楔金具
９ａ′，１０９ａ′，１１０９ａ′，２０９ａ′楔金具抜け止めのＲピン
１０，１１０，１１１０                      フレーム金具の前方
１１，１１１，１１１１，ａ，ｂ              フレーム金具の両側面
１２，１１２，１１１２                      フレーム金具の後方
１３，１１３，１１１３                      フレーム金具の内周
１４，１１４，１１１４                      両側面の外周
１５，ａ，１１５，ａ，ｂ，１１１５          折曲鍔
１６，１１６ａ，ｂ，１１１６ａ，ｂ，２１６  継手孔
１７                                        把手
１８ａ，ｂ，ｂ′，ｃ，１１８ａ，ｂ，ｃ      楔孔
１１１８ａ，ｂ，ｃ，  ２１８ｂ，ｃ，３１８ｂ，ｃ，９１８  楔孔
１９ａ，１１９ａ，１１１９ａ                スライド金具の長孔
１９ｂ                                      スライド金具取着用の丸孔
２０，ａ，ｂ，１２０，１１２０              スライド金具
２１                                        スライド突起係合部
２２                                        継手金具の先端
２３，３２３                                継手金具の雌螺子
２４，１２４，１１２４，２２４              継手金具のフランジ
４２４，５２４，６２４，７２４              継手金具のフランジ
２５，１２５，１１２５，３２５，４２５      継手金具の螺合部
４２５，５２５，６２５，７２５              継手金具の螺合部
２６，１２６，１１２６，４２６              継手金具の平板状挟合部
５２６，６２６，７２６                      継手金具の平板状挟合部
３２６，４２６，５２６，６２６，７２６      継手金具の丸棒状挟合部
２７，１２７，１１２７，３２７，９２７      継手金具の連結部
２２８                                      受け金具
２２９ａ，ｂ                                受け金具の後面と側面鍔
１３０，１１３０                            継手金具の雄螺子
３１，１３１，１１３１，３３１，９３１      継手金具の型枠への係止爪
４３２，５３２，６３２，７３２              継手金具の丸棒扁平部
４３３，５３３，６３３，７３３              コーンキャップ
８３４                                      セパレーターの雌螺子
８３５                                      スポット跡
８３６                                      コンクリート打設厚み
９３７                                      連結金具
９３８                                      貫通孔
９３９                                      切れ目線
３４０，４４０，５４０                      締結金具の挿入孔
４４１，５４１                              当て金具の張出部
Ｂ                                          挟み板
Ｃ                                          クリップ金具
Ｆ                                          フレーム
Ｈ，Ｈ′                                    貫通穴
Ｉ                                          鉄板枠
Ｋ，Ｋ′                                    コーンキャップ
Ｐ                                          押さえ板
Ｓ，Ｓ′                                    帯状薄板金具
Ｔ                                          締結金具
Ｖ                                          セパレーターボルト
Ｗ                                          木質板型枠
【図１】
0004019161.tif 000002
【図２】
0004019161.tif 000003
【図３】
0004019161.tif 000004
【図４】
0004019161.tif 000005
【図５】
0004019161.tif 000006
【図６】
0004019161.tif 000007
【図７】
0004019161.tif 000008
【図８】
0004019161.tif 000009
【図９】
0004019161.tif 000010
【図１０】
0004019161.tif 000011
【図１１】
0004019161.tif 000012
【図１２】
0004019161.tif 000013
【図１３】
0004019161.tif 000014
【図１４】
0004019161.tif 000015
【図１５】
0004019161.tif 000016
【図１６】
0004019161.tif 000017
【図１７】
0004019161.tif 000018
【図１８】
0004019161.tif 000019
【図１９】
0004019161.tif 000020